(57)【特許請求の範囲】
【請求項１】
移動端末から送信されるレンジング要求の受信に応じて、レンジング応答を送信することでレンジングを行う基地局装置であって、
前記レンジング要求が初期レンジング又は定期的レンジングのための第一のレンジング要求であるか、ハンドオーバ時のレンジングのための第二のレンジング要求であるかを判断するレンジング判断部と、
受信したレンジング要求に基づいてレンジングパラメータ値を検出する検出部と、
検出した前記レンジングパラメータ値が目標範囲内であるか否かの判定を行う判定部と、
前記判定部による判定に応じて生成された調整パラメータであって前記移動端末に信号送信条件を調整させるための前記調整パラメータを前記レンジング応答に格納し、前記調整パラメータを格納したレンジング応答を前記移動端末に送信するレンジング応答部と、
前記レンジング判断部の判断結果が、第一のレンジング要求である場合と、第二のレンジング要求である場合とで、前記目標範囲を異ならせる目標範囲設定部と、を備えていることを特徴とする基地局装置。
【請求項２】
前記レンジング判断部が第二のレンジング要求であると判断した場合に前記目標範囲設定部が設定する目標範囲は、前記レンジング判断部が第一のレンジング要求であると判断した場合に前記目標範囲設定部が設定する目標範囲よりも広い目標範囲となるように設定される請求項１に記載の基地局装置。
【請求項３】
前記レンジングパラメータ値は、信号レベル、信号タイミング、及び、信号周波数の内、少なくともいずれか一つを含む請求項１又は２に記載の基地局装置。
【請求項４】
基地局装置と、この基地局装置との間で無線通信を行う移動端末とを備えた無線通信システムにおけるレンジング方法であって、
前記基地局装置が、移動端末から送信されるレンジング要求を受信すると、この受信したレンジング要求に基づいてレンジングパラメータ値を検出する検出ステップと、
受信した前記レンジング要求が初期レンジング又は定期的レンジングのための第一のレンジング要求であるか、ハンドオーバ時のレンジングのための第二のレンジング要求であるかを判断するレンジング判断ステップと、
前記レンジング判断ステップにより前記レンジング要求が前記第一のレンジング要求であると判断した場合と、前記第二のレンジング要求であると判断した場合とで、レンジングを完了させる基準となる前記レンジングパラメータ値の目標範囲を異なるように設定する目標範囲設定ステップと、
前記レンジングパラメータ値が、前記目標範囲設定ステップによって設定された前記目標範囲内であるか否かの判定を行い、その判定結果に応じて生成された調整パラメータであって前記移動端末に信号送信条件を調整させるための前記調整パラメータをレンジング応答に格納し、前記調整パラメータを格納した前記レンジング応答を前記移動端末に送信する送信ステップと、を備えていることを特徴とする無線通信システムにおけるレンジング方法。
【発明の詳細な説明】
【技術分野】
【０００１】
本発明は、広帯域移動無線通信システムなどに用いられる無線通信システム用の基地局装置、及び無線通信システムにおけるレンジング方法に関するものである。
【背景技術】
【０００２】
近年、広範囲なエリアを無線でカバーして高速ブロードバンドサービスを提供することができる通信システムとして、例えば、ＩＥＥＥ８０２．１６に規定されるいわゆる「ＷｉＭＡＸ」と呼ばれる広帯域移動無線通信システム（Ｂｒｏａｄｂａｎｄ  Ｗｉｒｅｌｅｓｓ  Ａｃｃｅｓｓ  Ｓｙｓｔｅｍ、以下、ＢＷＡシステムともいう）が、注目されている。
上記ＢＷＡシステムでは、一般に、無線通信サービスを提供するためのサービスエリアが多数のセルによって構成されており、多数のセルごとに基地局が設置されている。これら基地局は、自身のセル内に位置する移動端末（ＭＳ）に対して、広帯域の無線通信サービスを提供する。ＭＳは、前記無線通信サービスによって、外部ネットワークへのエントリーが可能となる。
上記ＢＷＡシステムでは、基地局装置（ＢＳ）と、移動端末（ＭＳ）との間で通信品質を確保するために、レンジングが行われる。レンジングとは、ＭＳの信号送信条件を調整し、ＢＳが受信するＭＳからの受信信号より検出される信号レベル、信号タイミング等を所定の適正な値に調整する処理であり、ＢＳとＭＳとの間で、レンジング要求メッセージ、及びレンジング応答メッセージの送受信を繰り返すことで行われる（例えば、特許文献１参照）。
【０００３】
上記レンジングは、ＭＳがＢＳに対してレンジング要求メッセージを送信することで開始される。レンジング要求メッセージを受けたＢＳは、このレンジング要求メッセージに基づいて検出される信号レベル、信号タイミング等からなるレンジングパラメータ値に調整の必要があるかどうかを判断し、調整の必要があると判断する場合には、レンジングパラメータ値を調整するための情報を含んだレンジング応答メッセージをＭＳに送信する。一方、レンジングパラメータ値の調整の必要がないと判断する場合、ＢＳは、レンジング応答メッセージに、レンジングを完了する旨を通知する完了通知を格納する。
レンジング応答メッセージを受信したＭＳは、前記完了通知を受けるまで、当該メッセージに含まれるレンジングパラメータ値を調整するための情報に基づいて、自身の信号送信条件を調整し、再度レンジング要求メッセージを送信する。
そして、ＢＳによって上記レンジングパラメータ値の調整の必要がないと判断されるまで、上記両メッセージの送受信を繰り返し、ＭＳが前記完了通知を含むレンジング応答メッセージを受信することで、レンジングは終了する。
【先行技術文献】
【特許文献】
【０００４】
【特許文献１】特開２００６−３５２８８３号公報
【発明の概要】
【発明が解決しようとする課題】
【０００５】
上記ＢＷＡシステムに係る規格によると、上記レンジングには、ＭＳがネットワークにエントリーすべくＢＳとの間で通信を確立する際に行われるイニシャル・レンジング、継続して通信が確立されているＢＳとＭＳとの間で定期的に行われる定期的レンジング、及びハンドオーバ処理にて行われるレンジングが規定されている。
上記ハンドオーバ処理とは、ＭＳが現在サービスを受けている基地局装置（サービングＢＳ）のセル内から隣接したセル内に移動する際に、サービングＢＳと、移動しようとするセルにサービスを提供する基地局装置（ターゲットＢＳ）との間で、当該ＭＳに提供しているサービスを引き継ぐための処理である。
【０００６】
このハンドオーバ処理では、サービングＢＳとＭＳとの接続が切断された後、ターゲットＢＳとＭＳとの間でレンジングが行われる。このため、レンジングが完了するまでの間、ＭＳは、サービングＢＳともターゲットＢＳともサービスを受けることができない瞬断状態となる。この瞬断状態が長時間となると、通信品質を劣化させてしまうため、できるだけ短時間でレンジングを完了することが好ましい。さらに、このハンドオーバ処理でのレンジングにおいて、ＭＳから送信されるレンジング要求メッセージから検出される上記レンジングパラメータ値は、フェージングや、マルチパス等の影響によって絶えず変動する。さらに、このＢＷＡシステムでは、中速（自動車の速度程度）以上での通信の確保求められており、ＭＳが移動中である場合にはドップラ効果の影響を受ける場合もあり、前記レンジングパラメータ値は、さらに大きく変動する。このため、ターゲットＢＳとＭＳとの間でレンジングパラメータ値の調整が収束せず、レンジングを行う時間が長時間となる場合があり、この結果、上記瞬断時間が長時間となることで、通信品質の劣化を招くことがあった。
【０００７】
以上のように、ハンドオーバ処理におけるレンジングでは、通信品質の劣化を防止するために短時間で完了することが求められる一方、通信を確立する際に行われる前記イニシャル・レンジング、及び通信の確立が継続されている際に行われる定期的レンジングでは、その調整精度が要求される。このように上記各レンジングでは、そのレンジングが行われる際の状況によって要求がそれぞれ異なっている。
【０００８】
しかし、上記各レンジングにおいて、レンジングを完了するか否かの判断基準、すなわち、レンジングパラメータ値の調整の要否を判断するための判断基準は、上記各レンジングの全てに対して同一に設定されており、それぞれの状況に応じた判断基準に設定されていなかった。すなわち、上記各レンジングは、その状況に応じて好適に設定されているとは言えなかった。このため、状況に応じたレンジングを行うことができる基地局装置、及びレンジング方法が嘱望されていた。
【０００９】
本発明はこのような事情に鑑みてなされたものであり、状況に応じたレンジングを行うことができる無線通信システム用の基地局装置、及び無線通信システムにおけるレンジング方法を提供することを目的とする。
【課題を解決するための手段】
【００１０】
上記目的を達成するための本発明は、移動端末から送信されるレンジング要求の受信に応じて、レンジング応答を送信することでレンジングを行う基地局装置であって、前記レンジング要求が初期レンジング又は定期的レンジングのための第一のレンジング要求であるか、ハンドオーバ時のレンジングのための第二のレンジング要求であるかを判断するレンジング判断部と、受信したレンジング要求に基づいてレンジングパラメータ値を検出する検出部と、検出した前記レンジングパラメータ値が目標範囲内であるか否かの判定を行う判定部と、前記判定部による判定に応じて生成された調整パラメータであって前記移動端末に信号送信条件を調整させるための前記調整パラメータを前記レンジング応答に格納し、前記調整パラメータを格納したレンジング応答を前記移動端末に送信するレンジング応答部と、前記レンジング判断部の判断結果が、第一のレンジング要求である場合と、第二のレンジング要求である場合とで、前記目標範囲を異ならせる目標範囲設定部と、を備えていることを特徴としている。
【００１１】
上記のように構成された無線通信システム用の基地局装置によれば、レンジング判断部及び目標範囲設定部によって、レンジングを完了させる基準となるレンジングパラメータ値の目標範囲を、ハンドオーバ時のレンジングと、それ以外の機会に行われるレンジングとで異なるように設定することができる。このため、この目標範囲を、ハンドオーバ時と、それ以外の機会とで、それぞれの状況に応じた設定とすることで、状況に応じたレンジングを適切に行うことができる。
【００１２】
さらにこの場合、前記レンジング判断部が第二のレンジング要求であると判断した場合に前記目標範囲設定部が設定する目標範囲を、前記レンジング判断部が第一のレンジング要求であると判断した場合に設定する目標範囲よりも広い目標範囲に設定することが好ましく、この場合、ハンドオーバ時のレンジングにおいては、それ以外の機会に行われるレンジングと比較して、目標範囲が広くなり、レンジングパラメータ値の調整精度を下げることができ、より速やかにレンジングを完了させることができる。
従って、レンジングに要する時間を短縮することができ、この結果、ハンドオーバ時における通信品質の劣化を防止することができる。
【００１３】
なお、前記レンジングパラメータ値は、信号レベル、信号タイミング、及び、信号周波数の内、少なくともいずれか一つを含むものとすることが好ましく、この場合、通信環境に応じて、これら各パラメータの中から適宜本発明を適用するレンジングパラメータ値が選択される。
【００２０】
また、本発明は、基地局装置と、この基地局装置との間で無線通信を行う移動端末とを備えた無線通信システムにおけるレンジング方法であって、前記基地局装置が、移動端末から送信されるレンジング要求を受信すると、この受信したレンジング要求に基づいてレンジングパラメータ値を検出する検出ステップと、受信した前記レンジング要求が初期レンジング又は定期的レンジングのための第一のレンジング要求であるか、ハンドオーバ時のレンジングのための第二のレンジング要求であるかを判断するレンジング判断ステップと、前記レンジング判断ステップにより前記レンジング要求が前記第一のレンジング要求であると判断した場合と、前記第二のレンジング要求であると判断した場合とで、レンジングを完了させる基準となる前記レンジングパラメータ値の目標範囲を異なるように設定する目標範囲設定ステップと、前記レンジングパラメータ値が、前記目標範囲設定ステップによって設定された前記目標範囲内であるか否かの判定を行い、その判定結果に応じて生成された調整パラメータであって前記移動端末に信号送信条件を調整させるための前記調整パラメータをレンジング応答に格納し、前記調整パラメータを格納した前記レンジング応答を前記移動端末に送信する送信ステップと、を備えていることを特徴としている。
【００２１】
上記のように構成されたレンジング方法によれば、レンジング判断ステップ及び目標範囲設定ステップによって、レンジングパラメータ値の目標範囲を、ハンドーオーバ時のレンジングと、それ以外の機会に行われるレンジングとで異なるように設定することができる。このため、この目標範囲を、ハンドオーバ時と、それ以外の機会とで、それぞれの状況に応じた設定とすることで、状況に応じたレンジングを適切に行うことができる。
【発明の効果】
【００２６】
以上のように、本発明の無線通信システム用の基地局装置、及び無線通信システムにおけるレンジング方法によれば、状況に応じたレンジングを行うことができる。
【図面の簡単な説明】
【００２７】
【図１】広帯域移動無線通信システム（ＢＷＡシステム）の全体構成を示す図である。
【図２】ＢＳ１０、及びＭＳ２０の構成を示したブロック図である。
【図３】本実施形態のＢＷＡシステムのレンジングの概略を示した図である。
【図４】図３にて示したレンジングの、より具体的な処理手順を示したフローチャートである。
【図５】調整モード（ステップＳ１１０）の処理手順を示したフローチャートである。
【図６】第二の実施形態に係るＢＷＡシステムのレンジングの処理手順を示したフローチャートである。
【発明を実施するための形態】
【００２８】
〔第一の実施形態〕
〔通信システムの全体構成〕
次に、本発明の好ましい実施形態について添付図面を参照しながら説明する。図１は、広帯域移動無線通信システム（ＢＷＡシステム）の全体構成を示す図である。このＢＷＡシステムは、例えば、広帯域無線通信を実現するために直交周波数分割多元接続（ＯＦＤＭＡ）方式をサポートするＩＥＥＥ８０２．１６に規定される通信システムが採用されており、多数の基地局１０（以下、ＢＳ１０ともいう）と、移動が可能な多数の移動端末２０（以下、ＭＳ２０ともいう）とを有して構成される。
ＢＳ１０は、その周囲にＭＳ２０との間で無線通信可能な範囲であるセルＳを設定しており、このセルＳ内に位置するＭＳ２０に対して、無線通信による高速のブロードバンドサービスを提供する。また、セルＳは、隣接するセルＳと互いに重なり合うように設定されており、これら多数のセルＳによって、本ＢＷＡシステムのサービスエリア全体が構成されている。
通信が確立されているＢＳ１０とＭＳ２０との間では、所定の通信フレームに情報を載せることで、当該情報の送受信が可能であり、ＭＳ２０は、この情報の送受信によって、外部のネットワークへのエントリーが可能となる。
【００２９】
〔基地局及び移動端末の構成〕
図２は、ＢＳ１０、及びＭＳ２０の構成を示したブロック図である。ＢＳ１０は、ＭＳ２０との間で無線通信を行うための信号を送受信するアンテナ１１と、送受信信号の増幅等の処理を行う送受信部１２と、送受信信号の各種処理を行うための制御部１３と、この送受信部１２と制御部１３との間に介在するインターフェース部１４と、上位ネットワークと接続するための通信部１５と、を有している。
送受信部１２は、図のようにアンプや、直交変復調器、Ａ／Ｄ，Ｄ／Ａ変換器等を含んでおり、アンテナ１１から送受信される信号波の増幅、変復調、及びＡ／Ｄ，Ｄ／Ａ変換等を行う。インターフェース部１３は、ＩＥＥＥ８０２．１６の規格に準拠したインターフェースであり、送受信部１２と制御部１３との間での信号の授受を仲介する。通信部１４は、イーサネット（登録商標）等の規格に準拠した通信インターフェースであり、制御部１３と外部の上位ネットワークとの間の情報の授受を仲介する。
制御部１３は、ＣＰＵ、メモリ（ＲＡＭ）及び記憶装置（ハードディスクやＲＯＭ）等を有するマイコンにより構成されており、ＢＳ１０がＭＳ２０との間で通信を確立するために必要な処理を行ったり、ＭＳ２０からの受信信号の通信フレームに含まれる受信情報を取り出して上位ネットワークに送信したり、上位ネットワークからＭＳ２０に送信される情報を通信フレームに載せる処理等を行う。また、隣接するＢＳ１０及びＭＳ２０における通信の引き継ぎ等の調整に関する処理を行う。
また、この制御部１３は、ＢＳ１０がＭＳ２０からの受信信号を受信する際に行われるレンジングを行うためのレンジング部１６を機能的に有している。ここで、レンジングとは、上述したように、ＭＳ２０の信号送信条件を調整し、ＢＳ１０が受信する受信信号から検出される、信号レベル、信号タイミング、及び、信号周波数などのレンジングパラメータ値を所定の値に調整する処理である。このレンジング及びレンジング部１６については、後に詳述する。
【００３０】
上記ＢＳ１０と無線通信を行うＭＳ２０は、ＢＳ１０との間で信号を送受信するためのアンテナ２１と、このアンテナ２１が接続された通信部２２と、ＭＳ２０の機能を包括的に制御するための制御部２３と、ＢＳ１０とＭＳ２０との間で授受される情報の入出力を行うための入出力部２４，２５とを有している。
制御部２３は、ＣＰＵ、メモリ（ＲＡＭ）及び記憶装置（ハードディスクやＲＯＭ）等を有するマイコンにより構成されており、通信部２２を制御することでＢＳ１０との無線通信を確立する処理を行ったり、この通信部２２により受信される受信信号の通信フレームから情報を取り出し出力部２５に出力したり、入力部２４に入力される情報を通信フレームに乗せることで送信可能にしたりといった処理を行う。
【００３１】
また、制御部２３は、上述のレンジングを行うか否かの決定を行い、レンジングを行うと決定した場合に、ＢＳ１０に対してレンジングを要求するレンジング要求メッセージ（レンジング要求）を生成し送信する機能を有している。さらに、制御部２３は、このレンジング要求メッセージに応じてＢＳ１０から送信されるレンジング応答メッセージ（レンジング応答）を受信し、これに格納される後述する調整パラメータに基づいて、ＭＳ２０から送信される送信信号の信号送信条件を調整する機能も有している。
ＭＳ２０は、その主電源をオン状態とすることで、ＢＳ１０からの送信信号をスキャンし、送信信号を捕捉すると、ＢＳ１０との間で通信を確立する。そしてＭＳ２０は、ＢＳ１０から無線通信によるサービスを受けることで、外部のネットワークにエントリーが可能となり、外部との情報の授受が可能となるように構成されている。
【００３２】
〔レンジングについて〕
上記ＢＷＡシステムでは、ＢＳ１０と、ＭＳ２０との間で通信品質を確保するために、レンジングが行われる。レンジングとは、上述したように、ＭＳ２０の信号送信条件を調整し、ＢＳ１０が受信するＭＳ２０からの受信信号より検出される信号レベル、信号タイミング、及び信号周波数を所定の適正な値に調整する処理であり、ＭＳ２０とＢＳ１０との間で、レンジング要求メッセージ、及びレンジング応答メッセージの送受信を繰り返すことで行われる。
このレンジングには、例えば、セルＳ内に位置するＭＳ２０が、ネットワークにエントリーする際に行われるイニシャル・レンジングの他、継続して通信の確立が行われているＭＳ２０との間で定期的に行われる定期的レンジング、ハンドオーバ処理のときに行われるハンドオーバ・レンジングが規定されている。
【００３３】
イニシャル・レンジングは、上記のようにネットワーク・エントリー時に行われるレンジングであり、ネットワーク・エントリーにおいて、ＭＳ２０がスキャンすることによってＢＳ１０からの送信信号を捕捉した後に行われる。ＭＳ２０は、この送信信号に含まれる、レンジングに関する情報を含んだＵＬ＿ＭＡＰメッセージ等の情報に基づいて、レンジング要求メッセージを生成する。このレンジング要求メッセージがＭＳ２０からＢＳ１０に送信されることで、イニシャル・レンジングが開始される。
【００３４】
また、定期的レンジングもイニシャル・レンジングと同様に、ＭＳ２０が、ＵＬ＿ＭＡＰメッセージ等の情報から、レンジングを行う間隔を取得し、レンジング要求メッセージを生成送信することで、レンジングが開始される。
ハンドオーバ・レンジングは、ハンドオーバ処理時に行われるレンジングであり、上記従来例で説明したように、ＭＳ２０との間で通信を確立していたＢＳ１０（サービングＢＳ）から隣接するＢＳ１０（ターゲットＢＳ）へ、ＭＳ２０へ提供しているサービスを引き継ぐ際に、ＭＳ２０とターゲットＢＳとの間で行われる。このハンドオーバ時のレンジングにおいても、ＭＳ２０は、ターゲットＢＳに対してレンジング要求メッセージを送信する。これによってレンジングが開始される。
以上のように、いずれのレンジングにおいても、ＭＳ２０からレンジング要求メッセージが送信されることでレンジングが開始される。
【００３５】
〔レンジング部について〕
本実施形態のＢＷＡシステムのＢＳ１０の制御部１３は、上述したように、上記各レンジングを実行するためのレンジング部１６を機能的に有している。
レンジング部１６は、さらに、機能部として、レンジング判断部１６ａ、判定部１６ｂ、目標範囲設定部１６ｃ、調整パラメータ生成部１６ｄ、検出部１６ｅ、及び、レンジング応答部１６ｆを有している。
検出部１６ｅは、ＢＳ１０が受信した受信信号としてのレンジング要求メッセージに基づくレンジングパラメータ値（信号レベルＰ、信号タイミングＴ、及び信号周波数Ｆ）を検出する機能を有している。
レンジング判断部１６ａは、レンジング要求メッセージが、ハンドオーバ時のレンジング要求メッセージであるか、それ以外（イニシャル・レンジング、もしくは定期的レンジング）のレンジング要求メッセージであるかの判断を行う。
判定部１６ｂは、ＭＳ２０からのレンジング要求メッセージから検出されるレンジングパラメータ値に含まれる、信号レベルＰ、信号タイミングＴ、及び信号周波数Ｆの各値が、それぞれ定められた目標値（Ｐｔ，Ｔｔ，Ｆｔ）に対し、許容値（Ｐｋ，Ｔｋ，Ｆｋ）によって定まる目標範囲内であるか否かの判定を行う。
また、目標範囲設定部１６ｃは、レンジング判断部１６ａの判断に応じて、前記許容値を所定の値に定め、目標範囲を設定するように構成されている。
【００３６】
調整パラメータ生成部１６ｄは、ＭＳ２０に送信することで当該ＭＳ２０の信号送信条件を調整させるための調整パラメータを生成する。
この調整パラメータは、ＭＳ２０が信号を出力する際の信号送信条件を調整させるための情報であり、信号レベルＰ、信号タイミングＴ、及び信号周波数Ｆにそれぞれ対応した、調整出力Ｐｍ、調整タイミングＴｍ、及び調整周波数Ｆｍを含んでいる。これを受信したＭＳ２０は、この調整パラメータに基づいて自身の信号送信条件を調整する。
調整パラメータは、ＢＳ１０が受信したＭＳ２０からのレンジング要求メッセージから検出される、現状のレンジングパラメータ値である信号レベルＰ、信号タイミングＴ、及び信号周波数Ｆの各値に基づいて定められるとともに、レンジング判断部１６ａの判断に応じて、異なる基準に基づいて生成される。
この調整パラメータは、具体的には、検出された現状のレンジングパラメータ値の各値と、それぞれの目標値との差であるオフセット値に基づいて定められ、ＭＳ２０が各送信条件をどの程度調整させるべきかを数値として格納することで生成される。
ＭＳ２０の制御部２３は、上記調整パラメータに含まれる、調整出力Ｐｍ、調整タイミングＴｍ、調整周波数Ｆｍを、送信信号の信号送信条件として現状設定されている送信出力、信号タイミング、及び周波数の各数値に加えることで信号送信条件の調整を行う。
【００３７】
レンジング応答部１６ｆは、上記の調整パラメータ（Ｐｍ，Ｔｍ，Ｆｍ）をレンジング応答メッセージに格納してＭＳ２０に送信する。また、レンジング応答部１６ｆは、調整パラメータとともに、レンジングを継続するか否かをＭＳ２０に伝えるための情報としての「ｓｔａｔｕｓ」をレンジング応答メッセージに格納する。レンジング応答部１６ｆは、この「ｓｔａｔｕｓ」に、「ｓｕｃｃｅｓｓ」を格納することで、ＭＳ２０にレンジングが完了したことを認識させることができる。一方、「ｃｏｎｔｉｎｕｅ」を格納することで、レンジングを継続することを認識させることができる。
【００３８】
〔レンジングの手順〕
次に、上記構成のＢＷＡシステムによるレンジングの手順について説明する。
図３は、本実施形態のＢＷＡシステムのレンジングの概略を示した図である。なお、図３では、ＭＳ２０がレンジングを行うことを決定し、レンジング要求メッセージを生成して送信する段階以降について示している。図において、レンジングを行うことを決定したＭＳ２０は、レンジング要求メッセージ（ＲＮＧ＿ＲＥＱ）をＢＳ１０に送信する（ステップＳ１）。
レンジング要求メッセージを受信したＢＳ１０は、レンジング要求メッセージに基づいて検出されるレンジングパラメータ値（Ｐ，Ｔ，Ｆ）を検出し（ステップＳ２）、調整パラメータ（Ｐｍ，Ｔｍ，Ｆｍ）、及び「ｃｏｎｔｉｎｕｅ」とした「ｓｔａｔｕｓ」をレンジング応答メッセージ（ＲＮＧ＿ＲＳＰ）に格納してＭＳ２０に送信する（ステップＳ３）。
レンジング応答メッセージを受信したＭＳ２０は、調整パラメータに基づいて自身の信号送信条件を調整し（ステップＳ４）、再度レンジング要求メッセージを送信する（ステップＳ５）。
上記各ステップを繰り返し行い、ＢＳ１０において、レンジングが完了したと判断した場合には、「ｓｔａｔｕｓ」に「ｓｕｃｓｅｓｓ」を格納してレンジング応答メッセージを送信する（ステップＳ６）。「ｓｕｃｓｅｓｓ」が格納されたレンジング応答メッセージを受信したＭＳ２０は、レンジング要求メッセージの送信を停止し（ステップＳ７）、レンジングを完了する。
【００３９】
次に、上記レンジングの手順についてより詳細に説明する。図４は、図３にて示したレンジングの、より具体的な処理手順を示したフローチャートである。
図４において、レンジングを行うことを決定したＭＳ２０は、上述のように、レンジング要求メッセージを生成し、ＢＳ１０に送信する（ステップＳ１０１）。レンジング要求メッセージを受信したＭＳ２０のレンジング部１６は（ステップＳ１０２）、まず、検出部１６ｅに、この受信したレンジング要求メッセージに基づくレンジングパラメータ値（信号レベルＰ、信号タイミングＴ、信号周波数Ｆ）を検出させる（ステップＳ１０３）。
次に、レンジング部１６は、レンジング判断部１６ａに、現在から所定時間前の間で、他のＢＳ１０から送信されるハンドオーバ要求通知メッセージ（ＨＯ＿ＲＥＱ）を受信したか否かを判断させる（ステップＳ１０４）。ここでハンドオーバ要求通知メッセージとは、ハンドオーバ処理を行う際に、サービングＢＳからターゲットＢＳに送信されるメッセージであり、図３に示すように、ＭＳ２０からサービングＢＳに対して送信されるハンドオーバ要求メッセージに応じて送信され、ハンドオーバ時のレンジング以外では送信されない。このため、レンジング判断部１６ａが、このメッセージを、所定時間前からレンジング要求メッセージを受信した現在までの間に受信したか否かを判断することで、ステップＳ２で受信したレンジング要求メッセージが、ハンドオーバ時のレンジングのためのメッセージであるか、他の（イニシャル・レンジングもしくは定期的レンジング）レンジングのためのメッセージであるかを判断することができる。
以下の説明においては、イニシャル・レンジングもしくは定期的レンジングのためのレンジング要求メッセージを第一のレンジング要求メッセージ、ハンドオーバ時のレンジングのためのレンジング要求メッセージを第二のレンジング要求メッセージと言う。
【００４０】
上記のように、ステップＳ１０２は、ＢＳ１０がＭＳ２０から送信されるレンジング要求メッセージを受信すると、この受信したレンジング要求メッセージに基づいてレンジングパラメータ値を検出する検出ステップを構成している。
また、ステップＳ１０３は、前記レンジング要求メッセージがイニシャル・レンジングもしくは定期的レンジングのための第一のレンジング要求メッセージであるか、ハンドオーバ時のレンジングのための第二のレンジング要求メッセージであるかを判断するレンジング判断ステップを構成している。
【００４１】
以下、レンジング判断部１６ａが、ハンドオーバ要求通知メッセージを受信していないと判断した場合、すなわち、第一のレンジング要求メッセージと判断した場合のレンジングについて説明する。
【００４２】
〔ハンドオーバ時以外のレンジング〕
レンジング判断部１６ａが、ハンドオーバ要求通知メッセージを受信していないと判断すると、レンジング部１６は、レンジングの完了を判断するためのレンジングパラメータ値の目標範囲を定める許容値（Ｐｋ，Ｔｋ，Ｆｋ）が図４中のステップＳ１０５にて示す値となるように、目標範囲設定部１６ｃに設定させる（ステップＳ１０５）。
また、レンジング部１６は、レンジング判断部１６ａの判断結果を示す情報としての判断フラグをメモリ等に記憶しており、レンジング判断部１６ａがハンドオーバ要求通知メッセージを受信したと判断した場合には判断フラグに「１」を格納する。また、レンジング判断部１６ａがハンドオーバ要求通知メッセージを受信していないと判断した場合には判断フラグに「０」を格納する。従って、このステップＳ１０５では、レンジング部１６は、前記判断フラグに「０」を格納する。
【００４３】
次に、レンジング部１６は、ステップＳ１０３にて検出されたレンジングパラメータ値（信号レベルＰ，信号タイミングＴ，信号周波数Ｆ）の各値が許容値（Ｐｋ，Ｔｋ，Ｆｋ）で定められる目標範囲内であるか否かの判定を判定部１６ｂにさせる（ステップＳ１０６）。ここで、判定部１６ｂは、レンジングパラメータ値の各値（Ｐ，Ｔ，Ｆ）を、それらに対応する目標値（Ｐｔ，Ｔｔ，Ｆｔ）から減した差であるオフセット値（ΔＰ，ΔＴ，ΔＦ）を求め、これらが下記式（１）〜（３）を全て満たすか否かを判断する。
なお、この目標範囲は、レンジングを完了してＭＳ２０との通信を許容することができると判定される各レンジングパラメータ値の目標範囲であり、許容値（Ｐｋ，Ｔｋ，Ｆｋ）は、その目標範囲を設定するための値である。
−Ｐｋ（−５ｄＢｍ）  ≦  ΔＰ  ＝  Ｐｔ−Ｐ  ≦  Ｐｋ（５ｄＢｍ）    ・・・（１）
−Ｔｋ（−０．１μＳ）  ≦  ΔＴ  ＝  Ｔｔ−Ｔ  ≦  Ｔｋ（０．１μＳ）・・・（２）
−Ｆｋ（−２００Ｈｚ）  ≦  ΔＦ  ＝  Ｆｔ−Ｆ  ≦  Ｆｋ（２００Ｈｚ）・・・（３）
【００４４】
判定部１６ｂが、ステップＳ１０６において、上記各オフセット値が上記式（１）〜（３）の全てを満たすと判定すると、レンジング部１６は、レンジング応答部１６ｆに、現状の条件を維持する旨の情報を格納した調整パラメータ（Ｐｍ，Ｔｍ，Ｆｍ）とともに、「ｓｕｃｃｅｓｓ」とした「ｓｔａｔｕｓ」をレンジング応答メッセージに格納させ、当該レンジング応答メッセージをＭＳ２０に送信させる（ステップＳ１０７）。これを受信したＭＳ２０は（ステップＳ１０８）、レンジングが完了したことを認識し、レンジング要求メッセージの送信を停止することでレンジングが完了する（ステップＳ１０９）。
上記ステップＳ１０７は、ステップＳ１０６においてレンジングパラメータ値が目標範囲内であると判定すると、レンジングが完了したことをＭＳ２０に通知する情報（「ｓｕｃｃｅｓｓ」とした「ｓｔａｔｕｓ」）を含むレンジング応答メッセージをＭＳ２０に送信する送信ステップを構成している。
【００４５】
一方、ステップＳ１０６にて、判定部１６ｂが、上記各オフセット値が上記式（１）〜（３）の内、少なくともいずれか一つでも満たさないと判定すると、レンジング部１６は、ＭＳ２０における信号送信条件の調整モードに移行する（ステップＳ１１０）。
図５は、調整モード（ステップＳ１１０）の処理手順を示したフローチャートである。この調整モードにおいては、レンジング部１６は、レンジング応答メッセージに格納する調整パラメータ（Ｐｍ，Ｔｍ，Ｆｍ）を調整パラメータ生成部１６ｄに生成させる。
まず、調整パラメータ生成部１６ｄは、ステップＳ２０１において、信号レベルＰのオフセット値ΔＰが、ステップＳ１０５において設定された目標範囲内であるか否かを判断する。オフセット値ΔＰが目標範囲であると判断すると、調整パラメータ生成部１６ｄは、調整パラメータの内、調整出力Ｐｍに関しては、現状の条件を維持する旨の情報を格納する（ステップＳ２０２）。
一方、オフセット値ΔＰが目標範囲でないと判断すると、調整パラメータ生成部１６ｄは、前記判断フラグが「０」であるか否かを判断する（ステップＳ２０３）。ここでは、上述のように前記判断フラグには「０」が格納されているので、調整パラメータ生成部１６ｄは、ステップＳ２０４に進み、オフセット値ΔＰの絶対値が所定の閾値αよりも大きいか否かを判断する。
なお、前記判断フラグが「１」である場合については、後述する。
【００４６】
オフセット値ΔＰが閾値αよりも大きいと判断した場合には、調整パラメータ生成部１６ｄは、調整パラメータに含まれる調整出力Ｐｍに、αを格納し（ステップＳ２０５）、ステップＳ２０７に進む。
一方、オフセット値ΔＰが閾値α以下であると判断した場合には、調整パラメータ生成部１６ｄは、調整パラメータに含まれる調整出力Ｐｍに、オフセット値ΔＰを格納し（ステップＳ２０６）、ステップＳ２０７に進む。
上記ステップＳ２０４〜Ｓ２０６では、オフセット値ΔＰが所定の閾値αを基準として、調整パラメータに含まれる調整出力Ｐｍを設定するように構成されている。オフセット値ΔＰが極端に大きい場合に、調整出力Ｐｍにオフセット値ΔＰをそのまま設定し、ＭＳ２０がその値で送信出力の条件を調整したとすると、ＭＳ２０の信号送信条件は、ＢＳ１０側で検出したレンジングパラメータ値（信号レベルＰ）に基づいて間接的に調整されるため、ＢＳ１０側で受信したときのレンジングパラメータ値（信号レベルＰ）が目標範囲を大きく外れてしまうおそれがあるからである。ここで、閾値αは、調整パラメータの値として格納されたときに、反映されるＭＳ２０からの受信信号のレンジングパラメータ値（信号レベルＰ）が、目標範囲内に確実に収まる程度に設定される。
【００４７】
次に、調整パラメータ生成部１６ｄは、ステップＳ２０７において、信号タイミングＴのオフセット値ΔＴが、ステップＳ１０５において設定された目標範囲内であるか否かを判断する。オフセット値ΔＴが目標範囲であると判断すると、調整パラメータ生成部１６ｄは、調整パラメータに含まれる調整タイミングＴｍに関しては、現状の条件を維持する旨の情報を格納し（ステップＳ２０８）、ステップＳ２０９に進む。
一方、オフセット値ΔＴが目標範囲でないと判断すると、調整パラメータ生成部１６ｄは、調整パラメータに含まれる調整タイミングＴｍに、オフセット値ΔＴを格納し（ステップＳ２１０）、ステップＳ２０９に進む。
【００４８】
次に、調整パラメータ生成部１６ｄは、ステップＳ２０９において、信号周波数Ｆのオフセット値ΔＦが、ステップＳ１０５において設定された目標範囲内であるか否かを判断する。オフセット値ΔＦが目標範囲であると判断すると、調整パラメータ生成部１６ｄは、調整パラメータに含まれる調整周波数Ｆｍに関しては、現状の条件を維持する旨の情報を格納し（ステップＳ２１１）、ステップＳ２１２に進む。
一方、オフセット値ΔＦが目標範囲でないと判断すると、調整パラメータ生成部１６ｄは、調整パラメータに含まれる調整周波数Ｆｍに、オフセット値ΔＦを格納し（ステップＳ２１３）、ステップＳ２１２に進む。
【００４９】
次に、レンジング部１６は、レンジング応答部１６ｆに、上記手順により各値を格納して生成された調整パラメータとともに、「ｃｏｎｔｉｎｕｅ」とした「ｓｔａｔｕｓ」をレンジング応答メッセージに格納させるとともに、当該レンジング応答メッセージをＭＳ２０に送信させる（ステップＳ２１２）。つまり、このステップＳ２１２は、生成された調整パラメータをレンジング要求メッセージに格納し、ＭＳ２０に送信する調整パラメータ送信ステップを構成している。
【００５０】
上記レンジング応答メッセージを受信したＭＳ２０は（ステップＳ２１４）、当該メッセージに格納されている調整パラメータ及び「ｓｔａｔｕｓ」を参照する。そして、ＭＳ２０の制御部２３は、「ｓｔａｔｕｓ」に「ｃｏｎｔｉｎｕｅ」が格納されているので、調整パラメータに含まれる、調整出力Ｐｍ、調整タイミングＴｍ、及び調整周波数Ｆｍを、信号送信条件として現状設定されている送信出力、信号タイミング、及び周波数の各数値にそれぞれ加えることで、自身の信号送信条件を調整する（ステップＳ２１５）。つまり、このステップＳ２１５は、ＭＳ２０に送信される調整パラメータに基づいてＭＳ２０の信号送信条件を調整する調整ステップを構成している。
【００５１】
信号送信条件を調整したＭＳ２０の制御部２３は、再度レンジング要求メッセージを生成し、ＢＳ１０に対して送信する（ステップＳ２１６）。
レンジング要求メッセージを受信したＢＳ１０のレンジング部１６は、この受信したレンジング要求メッセージによるレンジングパラメータ値（信号レベルＰ、信号タイミングＴ、信号周波数Ｆ）を、検出部１６ｅに検出させる（ステップＳ２１７）。
【００５２】
ステップＳ２１７にて、上記レンジングパラメータ値の検出を行うと、レンジング部１６は、ステップＳ１０６（図４）に戻り、ステップＳ２１７にて取得したレンジングパラメータ値の各値が、目標範囲内（上記式（１）〜（３））であるか否かの判定を判定部１６ｂにさせる（ステップＳ１０６）。
上記調整モード（ステップＳ１１０）では、上記処理（図５中、ステップＳ２０１〜Ｓ２１７）を繰り返すことで、レンジングパラメータ値の各値（Ｐ，Ｔ，Ｆ）をそれぞれの目標値（Ｐｔ，Ｔｔ，Ｆｔ）付近に収束させることができる。すなわち、レンジング部１６は、レンジングパラメータ値の各値（Ｐ，Ｔ，Ｆ）が目標範囲内となるまで、この調整モードを繰り返す。
【００５３】
その後、ステップＳ１０６において、判定部１６ｂが、上記各オフセット値が上記式（１）〜（３）の全てを満たすと判定すると、上述のステップＳ１０７〜Ｓ１０９に進み、ＭＳ２０は、レンジングが完了したことを認識し、レンジング要求メッセージの送信を停止して、レンジングを完了する。
次に、レンジング判断部１６ａが、ハンドオーバ要求通知メッセージを受信したと判断した場合、すなわち、第二のレンジング要求メッセージと判断した場合のレンジングについて説明する。
【００５４】
〔ハンドオーバ時のレンジング〕
図４を参照して、レンジング判断部１６ａが、ステップＳ１０４において、ハンドオーバ要求通知メッセージを受信したと判断すると、レンジング部１６は、各レンジングパラメータ値の目標範囲を定める許容値（Ｐｋ，Ｔｋ，Ｆｋ）が、図４中のステップＳ１１１にて示す値となるように、目標範囲設定部１６ｃに設定させるとともに、判断フラグに「１」を格納する（ステップＳ１１１）。
ここで、ステップＳ１１１にて設定される許容値（Ｐｋ，Ｔｋ，Ｆｋ）は、ステップＳ１０５において設定される値よりも大きい値に設定されており、各目標値に対する目標範囲が、ステップＳ１０５の場合よりもより広い範囲となるように設定されている。つまり、ハンドオーバ時以外のレンジングの目標範囲よりも、ハンドオーバ時のレンジングの目標範囲が広くなるように設定されている。
【００５５】
このステップＳ１１１、及び上記ハンドオーバ時以外のレンジングにおいて処理されるステップＳ１０５は、ステップＳ１０４により受信したレンジング要求メッセージが第一のレンジング要求メッセージであると判断した場合と、第二のレンジング要求メッセージであると判断した場合とで、レンジングを完了させる基準となる目標範囲を、一方の場合の方がより広い範囲となるといったように、異なるように設定する目標範囲設定ステップを構成している。
【００５６】
次に、レンジング部１６は、上述のように、ステップＳ１０３にて取得したレンジングパラメータ値（信号レベルＰ，信号タイミングＴ，信号周波数Ｆ）の各値がレンジングを許容する目標範囲内であるか否かの判定を判定部１６ｂにさせる（ステップＳ１０６）。ここで、判定部１６ｂは、上記と同様にオフセット値（ΔＰ，ΔＴ，ΔＦ）を求め、これらが下記式（４）〜（６）を全て満たすか否かを判断する。
−Ｐｋ（−１０ｄＢｍ）  ≦  ΔＰ  ＝  Ｐｔ−Ｐ  ≦  Ｐｋ（１０ｄＢｍ）・・・（４）
−Ｔｋ（−０．２μＳ）  ≦  ΔＴ  ＝  Ｔｔ−Ｔ  ≦  Ｔｋ（０．２μＳ）・・・（５）
−Ｆｋ（−３００Ｈｚ）  ≦  ΔＦ  ＝  Ｆｔ−Ｆ  ≦  Ｆｋ（３００Ｈｚ）・・・（６）
【００５７】
ステップＳ１０６において、判定部１６ｂが、上記各オフセット値が上記式（４）〜（６）の全てを満たすと判定すると、上述のステップＳ１０７〜Ｓ１０９に進み、ＭＳ２０は、レンジングが完了したことを認識し、レンジング要求メッセージの送信を停止して、レンジングを完了する。
ステップＳ１０６にて、判定部１６ｂが、上記各オフセット値が上記式（４）〜（６）を満たさないと判定すると、レンジング部１６は、ＭＳ２０に信号送信条件の調整モードに移行する（ステップＳ１１０）。
【００５８】
図５を参照して、ハンドオーバ時のレンジングと、その他のレンジングとの間で異なる点は、目標値（Ｐｔ，Ｔｔ，Ｆｔ）の設定値が異なる点と、図５中ステップＳ２０３における判断が異なる点である。従って、ここでは、ステップＳ２０３より説明する。
【００５９】
ステップＳ２０３において、調整パラメータ生成部１６ｄは、前記判断フラグが「１」であるか否かを判断する。ここでは、上述のように前記判断フラグには、「１」が格納されているので、調整パラメータ生成部１６ｄは、ステップＳ２１８に進み、調整パラメータに含まれる調整出力Ｐｍに、オフセット値ΔＰを格納し、ステップＳ２０７に進む。
すなわち、ハンドオーバ時のレンジングでは、オフセット値ΔＰの値に関わらず、調整出力Ｐｍに、オフセット値ΔＰを格納するように構成されている。
以降の処理は、上記のハンドオーバ時以外のレンジングと同様であり、上記各オフセット値が上記式（４）〜（６）の全てを満たせば、レンジングは完了する。
【００６０】
以上のように構成されたＢＷＡシステムのＢＳ１０によれば、レンジング部１６は、レンジング判断部１６ａ及び目標範囲設定部１６ｃによって、レンジングを許容するレンジングパラメータ値の目標範囲を、ハンドーオーバ時のレンジングと、それ以外の機会に行われるレンジングとで異なるように設定することができる。このため、この目標範囲を、ハンドオーバ時と、それ以外の機会とで、それぞれの状況に応じた設定とすることで、状況に応じたレンジングを適切に行うことができる。
さらに、本実施形態では、ハンドオーバ時以外のレンジングの目標範囲よりも、ハンドオーバ時のレンジングの目標範囲が広くなるように設定したので、ハンドオーバ時のレンジングにおいては、それ以外の機会に行われるレンジングと比較して、ＭＳ２０からの受信信号のレンジングパラメータ値の調整精度を下げることができ、より速やかにレンジングを完了させることができる。
従って、レンジングに要する時間を短縮することができ、この結果、ハンドオーバ時における通信品質の劣化を防止することができる。
【００６１】
また、上記ＢＷＡシステムにおいて、レンジング部１６は、レンジング判断部１６ａ及び調整パラメータ生成部１６ｄによって、ＭＳ２０に信号送信条件を調整させるための調整パラメータ（Ｐｍ，Ｔｍ，Ｆｍ）を、ハンドオーバ時のレンジングと、それ以外の機会に行われるレンジングとで異なる基準によって設定することができる。
具体的には、ハンドオーバ時以外のレンジングでの調整パラメータに含まれる調整出力Ｐｍの設定については、オフセット値ΔＰが所定の閾値αを基準として設定されるように構成されており、オフセット値ΔＰがαよりも大きい場合は、調整出力Ｐｍにαが格納される。このため、オフセット値ΔＰがαよりも極端に大きい場合には、目標値に対して最大でαずつでしか近づけることができない。
一方、ハンドオーバ時のレンジングでの調整出力Ｐｍの設定については、オフセット値ΔＰの値に関わらず、調整出力Ｐｍにオフセット値ΔＰが格納される。このため、ハンドオーバ時以外のレンジングのようにαずつ序々に調整するのと比較して、現状に対して目標値Ｐｔとなるようにオフセット値ΔＰが格納されるので、より速やかに調整パラメータを設定することができる。
【００６２】
つまり、前者においては調整精度を重視し、後者においては調整の速さを重視して、調整パラメータの設定処理の基準を定めており、ステップＳ２０３〜Ｓ２０６、及びステップＳ２１８は、ステップＳ１０４（図４）にて、レンジング要求メッセージが第一のレンジング要求メッセージであると判断した場合と、第二のレンジング要求メッセージであると判断した場合とで、異なる基準で、ＭＳ２０に調整パラメータを生成する調整パラメータ生成ステップを構成している。
このように、ハンドーオーバ時のレンジングと、それ以外の機会に行われるレンジングとで異なる基準によって調整パラメータを設定するように構成することで、ハンドオーバ時のレンジングにおいて、より速やかににレンジングを完了させるのに好適な基準で調整パラメータを設定することができる。これにより、レンジングに要する時間を短縮することができ、この結果、ハンドオーバ時における通信品質の劣化をより効果的に防止することができる。
【００６３】
〔第二の実施形態〕
図６は、第二の実施形態に係るＢＷＡシステムのレンジングの処理手順を示したフローチャートである。本実施形態と第一の実施形態の相違点は、ステップＳ１０４において、レンジング判断部１６ａが、ハンドオーバ要求通知メッセージを受信したと判断、すなわち、第二のレンジング要求メッセージを受信したと判断すると、レンジング部１６は、レンジングパラメータ値が目標範囲であるか否かに関わらず、現状の条件を維持する旨の情報を格納した調整パラメータ（Ｐｍ，Ｔｍ，Ｆｍ）とともに、「ｓｕｃｃｅｓｓ」とした「ｓｔａｔｕｓ」をレンジング応答メッセージに格納し、当該レンジング応答メッセージを、レンジング応答部１６ｆに送信させる（ステップＳ１０７）点にある。その他の点については、第一の実施形態と同様なので説明を省略する。
【００６４】
上記構成のＢＷＡシステムによれば、レンジング判断部１６ａによってレンジング要求メッセージが第一のレンジング要求メッセージであると判断されると、上記第一の実施形態に示した処理によって、レンジングが行われ、「ｓｕｃｃｅｓｓ」とした「ｓｔａｔｕｓ」を格納したレンジング応答メッセージをＭＳ２０に送信する（第一の送信ステップ）。
一方、レンジング判断部１６ａによってレンジング要求メッセージが第二のレンジング要求メッセージであると判断されると、レンジングパラメータ値が目標範囲であるか否かに関わらず、現状の信号送信条件を維持することを通知する情報、及び、レンジング完了通知情報である「ｓｕｃｃｅｓｓ」とした「ｓｔａｔｕｓ」を含むレンジング応答メッセージが、ＭＳ２０に送信され（第二の送信ステップ）、当該レンジング応答メッセージを、ＭＳ２０が受信すれば、レンジングを完了することができる。
このため、本実施形態のシステムにおける、ハンドオーバ時のレンジングにおいては、ＭＳ２０とＢＳ１０との間で、メッセージの送受信を多数回繰り返す必要がなく、より速やかににレンジングを完了させることができる。この結果、ハンドオーバ時における通信品質の劣化をより効果的に防止することができる。
【００６５】
なお、本実施形態において、ＭＳ２０の信号送信条件を現状を維持するように設定したが、例えば、ネットワークにエントリーしようとしてＢＳのサーチから開始するイニシャル・レンジングに対して、ハンドオーバ時のレンジングでは、直前までサービングＢＳと通信を確立しており、そのままの条件をターゲットＢＳに対して継続したとしても、大きな誤差がなく通信を確立することができ、速やかに通信を確立できるといった効果を得ることができる。
【００６６】
本発明は、上記各実施形態に限定されるものではない。上記実施形態では、レンジングパラメータ値における信号レベルＰ、信号タイミングＴ、及び信号周波数Ｆの各値の目標範囲に関して、ハンドオーバ時のレンジングと、それ以外のレンジングとで、異なる目標範囲に設定したが、例えば、信号レベルＰのみを対象とし、それ以外のパラメータは、レンジング判断部１６ａの判断に係わらず、同一の目標範囲とすることもできるし、レンジングパラメータ値の内、少なくともいずれか一つを対象として構成されていればよい。
また、調整モードにおける、調整パラメータ生成部１６ｄによる調整パラメータの設定についても、本実施形態では、調整出力Ｐｍについてのみレンジング判断部１６ａの判断に応じて、異なる基準で設定するように構成したが、調整パラメータ（Ｐｍ，Ｔｍ，Ｆｍ）の内、少なくともいずれか一つを含んで設定するように構成されていればよい。
【００６７】
また、上記実施形態では、ＭＳ２０がレンジングを行うか否かを判断し決定するように構成したが、ＢＳ１０がレンジングを行うか否かを決定するように構成することもできる。
また、上記実施形態において、レンジング判断部１６ａは、サービングＢＳからのハンドオーバ要求通知メッセージをＢＳ１０（ターゲットＢＳ）が受信したか否かで、ハンドオーバ時のレンジングであるか、それ以外のレンジングであるかを判断するように構成したが、これに限定されるものではなく、例えば、ＭＳ２０から送信されるレンジング要求メッセージに、当該レンジング要求メッセージが、ハンドオーバ時のレンジングである旨を示す情報が格納されている場合には、当該情報を用いて、ハンドオーバ時のレンジングであるか否かを判断することもできる。
【符号の説明】
【００６８】
１０    ＢＳ（基地局）      １１    アンテナ              １２    送受信部
１３    制御部              １４    インターフェース部    １５    通信部
１６    レンジング部        １６ａ  レンジング判断部      １６ｂ  判定部
１６ｃ  目標範囲設定部      １６ｄ  調整パラメータ設定部  １６ｅ  検出部
２０    ＭＳ（移動端末）    ２１    アンテナ              ２２    通信部
２３    制御部              ２４    入力部                ２５    出力部
【図１】
0005240346.tif 000002
【図２】
0005240346.tif 000003
【図３】
0005240346.tif 000004
【図４】
0005240346.tif 000005
【図５】
0005240346.tif 000006
【図６】
0005240346.tif 000007